(57)【要約】【課題】消火器の安全栓及び消火器本体の未使用表示の安定性と信頼性を維持又は向上させ、消火器の製造コストを低減する。【解決手段】  本発明の１つの消火器１００は、消火剤が充填された容器が備える固定レバー２８及び固定レバーの一部と枢動可能に連結された起動レバー２６と、起動レバーに形成された第１貫通孔、及び固定レバーと枢動可能に連結されるとともに起動レバーの下面側に当接しうる支柱２４ａに形成された開口部に、起動レバーの上方から嵌入されて支柱２４ａと係合することにより起動レバーを開き状態にロックする安全栓２０と、安全栓の一部を覆うことにより安全栓の引き抜き方向を遮る安全栓用未使用表示部１２と第１弱体部１４を介して接合され、かつ起動レバーに形成された第２貫通孔に嵌入されるとともに起動レバーの枢動により切断される第２弱体部を伴って起動レバーと係合する本体用未使用表示部１６とを備えている。【選択図】図３Ａ
2009178324.tif 000002
【特許請求の範囲】
【請求項１】
消火剤が充填された容器が備える固定レバー及び前記固定レバーの一部と枢動可能に連結された起動レバーと、
前記起動レバーに形成された第１貫通孔、及び前記固定レバーと枢動可能に連結されるとともに前記起動レバーの下面側に当接しうる支柱に形成された開口部に、前記起動レバーの上方から嵌入されて前記支柱と係合することにより前記起動レバーを開き状態にロックする安全栓と、
前記安全栓の一部を覆うことにより前記安全栓の引き抜き方向を遮る第１未使用表示部と第１弱体部を介して接合され、かつ前記起動レバーに形成された第２貫通孔に嵌入されるとともに前記起動レバーの枢動により切断される第２弱体部を伴って前記起動レバーと係合する第２未使用表示部を備えた
消火器。
【請求項２】
消火剤が充填された容器が備える固定レバー及び前記固定レバーの一部と枢動可能に連結された起動レバーと、
前記起動レバーに形成された第１貫通孔、及び前記固定レバーと枢動可能に連結されるとともに前記起動レバーの下面側に当接しうる支柱に形成された開口部に、前記起動レバーの上方から嵌入されて前記支柱と係合することにより前記起動レバーを開き状態にロックする安全栓と、
前記安全栓の一部を覆うことにより前記安全栓の引き抜き方向を遮る第１未使用表示部と第１弱体部を介して接合され、かつ前記起動レバーに形成された第２貫通孔に嵌入されるとともに前記起動レバーの枢動により切断される第２弱体部を伴って前記起動レバーと係合する第２未使用表示部とを備え、
前記第２未使用表示部が、前記起動レバーの枢動により弾性変形して付勢力が与えられるとともに前記第２弱体部の切断により前記付勢力が解消される弾性部を備える
消火器。
【請求項３】
前記安全栓の一部が、前記第１未使用表示部によって非接触に覆われる
請求項１又は請求項２に記載の消火器。
【請求項４】
消火剤が充填された容器が備える固定レバー及び前記固定レバーの一部と枢動可能に連結された起動レバーに形成された第１貫通孔、及び前記固定レバーと枢動可能に連結されるとともに前記起動レバーの下面側に当接しうる支柱に形成された開口部に、前記起動レバーの上方から嵌入されて前記支柱と係合することにより前記起動レバーを開き状態にロックする安全栓の一部を覆うことにより前記安全栓の引き抜き方向を遮る第１未使用表示部と第１弱体部を介して接合され、
かつ前記起動レバーに形成された第２貫通孔に嵌入されるとともに前記起動レバーの枢動により切断される第２弱体部を伴って前記起動レバーと係合する第２未使用表示部を備えた
消火器の未使用表示具。
【請求項５】
前記第２未使用表示部が、前記起動レバーの枢動により弾性変形して付勢力が与えられるとともに前記第２弱体部の切断により前記付勢力が解消する弾性部をさらに備える
請求項４に記載の未使用表示具。
【請求項６】
前記安全栓の一部が、前記第１未使用表示部によって非接触に覆われる
請求項４に記載の未使用表示具。
【発明の詳細な説明】
【技術分野】
【０００１】
本発明は、未使用消火器の表示具、及びそれを備えた消火器に関するものである。
【背景技術】
【０００２】
従来から消火器には、未使用の消火器と、安全栓が一度抜かれた消火器との差を明確に示すための表示具が備えられている。その最も古典的な例は、図４に示されている封じ紙９０である。この封じ紙９０は、消火器輸送の途上で振動を受けたり、設置時に何かと接触したりすることによって、安全栓が引き抜かれていないにもかかわらず千切れてしまうという問題がある。この問題を解決する方法が幾つか提案されている（特許文献１及び特許文献２参照）。
【特許文献１】特開２００４−３５８０４３号公報
【特許文献２】特開２００６−２０７３８号公報
【発明の開示】
【発明が解決しようとする課題】
【０００３】
上述のとおり、安全栓が、誤って使用済みの状態であると認識されるというリスクを回避するための手段が幾つか提案されている。一方で、安全栓が抜かれた場合であっても、それのみでは、その消火器が実際に使用されたか否かは実は明らかではない。これは、消火器の容器が不透明であるため、安全栓が抜かれたとしても、その後、消火器の起動レバーが握られて消火剤が実際に噴射されたか否かを外観のみでは判断できないからである。そこで、特に、加圧式、蓄圧式の手さげ式の消火器については、それが実際に使用されたことを示すための別の表示具（例えば、図４の表示具９１）が設けられることが要求される。
【０００４】
このように、消火器の容器が一般的に不透明であるために、その消火器が既に使用されたものか否かを容易に認識させるための表示具が複数必要となる。従って、それぞれの表示具の製造と消火器への設置作業が消火器の製造工程を増加させることになるため、その製造コストと歩留まりが悪化する。
【０００５】
本発明は、上述の技術課題を解決することにより、消火器の安全栓及び消火器自身の使用状況の表示の安定性及び信頼性を維持又は向上させつつ、消火器又は消火器の周辺部品の製造コストの低減に大きく貢献するものである。
【０００６】
本発明の１つの消火器は、消火剤が充填された容器が備える固定レバー及びその固定レバーの一部と枢動可能に連結された起動レバーと、その起動レバーに形成された第１貫通孔、及びその固定レバーと枢動可能に連結されるとともに前述の起動レバーの下面側に当接しうる支柱に形成された開口部に、その起動レバーの上方から嵌入されてその支柱と係合することによりその起動レバーを開き状態にロックする安全栓と、その安全栓の一部を覆うことによりその安全栓の引き抜き方向を遮る第１未使用表示部と第１弱体部を介して接合され、かつその起動レバーに形成された第２貫通孔に嵌入されるとともにその起動レバーの枢動により切断される第２弱体部を伴ってその起動レバーと係合する第２未使用表示部とを備えている。
【０００７】
この消火器によれば、起動レバーをロックする安全栓を引き抜く際に、未使用表示具の一部である第１未使用表示部が第１弱体部の切断によって切り離されることになるため、その安全栓が少なくとも一度は引き抜かれたことが容易に認識され得る。さらに、その後、その起動レバーが握られることによって、起動レバーに係合する第２未使用表示部の第２弱体部が切断されて消火器から切り離されることになるため、その消火器の消火剤が噴射されたか否かが一目瞭然となる。そして、上述の第１弱体部と第２弱体部を備えた未使用表示具は、その製造当初は一体物であるため、それを起動レバーに形成された第２貫通孔に嵌入させて係合させる工程のみにより上述の２種類の未使用表示が可能になる。
【０００８】
また、本発明のもう一つの消火器は、消火剤が充填された容器が備える固定レバー及びその固定レバーの一部と枢動可能に連結された起動レバーと、その起動レバーに形成された第１貫通孔、及びその固定レバーと枢動可能に連結されるとともに前述の起動レバーの下面側に当接しうる支柱に形成された開口部に、その起動レバーの上方から嵌入されてその支柱と係合することによりその起動レバーを開き状態にロックする安全栓と、その安全栓の一部を覆うことによりその安全栓の引き抜き方向を遮る第１未使用表示部と第１弱体部を介して接合され、かつその起動レバーに形成された第２貫通孔に嵌入されるとともにその起動レバーの枢動により切断される第２弱体部を伴ってその起動レバーと係合する第２未使用表示部とを備えている。さらに、その第２未使用表示部は、前述の起動レバーの枢動により弾性変形して付勢力が与えられるとともにその第２弱体部の切断によりその付勢力が解消される弾性部を備えている。
【０００９】
この消火器によれば、起動レバーをロックする安全栓を引き抜く際に、未使用表示具の一部である第１未使用表示部が第１弱体部の切断によって切り離されることになるため、その安全栓が少なくとも一度は引き抜かれたことが容易に認識され得る。さらに、その後、その起動レバーが握られることによって、起動レバーに係合する第２未使用表示部の第２弱体部が切断されて消火器から切り離されることになるため、その消火器の消火剤が噴射されたか否かが一目瞭然となる。そして、上述の第１弱体部と第２弱体部を備えた未使用表示具は、その製造当初は一体物であるため、それを起動レバーに形成された第２貫通孔に嵌入させて係合させる工程のみにより上述の２種類の未使用表示が可能になる。さらに、その未使用表示具が備える弾性部が上述の起動レバーが握られた際の第２弱体部の切断工程の間に弾性変形され、その後の切断によってその弾性変形が解消される。その結果、その未使用表示具がその弾性変形の解消を利用して、換言すれば、バネの効果により、より確実に消火器から切り離される。この弾性部の存在により、消火器に配設された未使用表示具の近傍に、例えば圧力表示計のカバーが形成されているような場合、そのカバーが第２弱体部の切断後の未使用表示具の動きを妨げることによってその未使用表示具が上述の第２貫通孔近傍に留まってしまうという危険性が回避される。
【００１０】
さらに、上述の弾性部が形成されていることにより、安全栓が引き抜かれることによって上述の第１弱体部が切断される際の衝撃が未使用表示具のその他の部分に与える影響が緩和される。換言すれば、その衝撃によって、未使用表示具が、起動レバーとの係合が解かれて外れてしまう危険性が低減する。
【００１１】
また、本発明の１つの消火器の未使用表示具は、消火剤が充填された容器が備える固定レバー及びその固定レバーの一部と枢動可能に連結された起動レバーに形成された第１貫通孔、及びその固定レバーと枢動可能に連結されるとともに前述の起動レバーの下面側に当接しうる支柱に形成された開口部に、その起動レバーの上方から嵌入されてその支柱と係合することによりその起動レバーを開き状態にロックする安全栓の一部を覆うことによりその安全栓の引き抜き方向を遮る第１未使用表示部と第１弱体部を介して接合され、かつ前述の起動レバーに形成された第２貫通孔に嵌入されるとともにその起動レバーの枢動により切断される第２弱体部を伴ってその起動レバーと係合する第２未使用表示部を備えている。
【００１２】
この未使用表示具によれば、起動レバーをロックする安全栓を引き抜く際に、未使用表示具の一部である第１未使用表示部が第１弱体部の切断によって切り離されることになるため、その安全栓が少なくとも一度は引き抜かれたことが容易に認識され得る。さらに、その後、その起動レバーが握られることによって、起動レバーに係合する第２未使用表示部の第２弱体部が切断されて消火器から切り離されることになるため、その消火器の消火剤が噴射されたか否かが一目瞭然となる。そして、上述の第１弱体部と第２弱体部を備えた未使用表示具は、その製造当初は一体物であるため、それを起動レバーに形成された第２貫通孔に嵌入させて係合させる工程のみにより上述の２種類の未使用表示が可能になる。
【００１３】
ここで、上述の各発明において、「開口部」には未貫通の孔のみならず、貫通孔も含まれる。
【発明の効果】
【００１４】
本発明の消火器、及び本発明の消火器の未使用表示具によれば、起動レバーをロックする安全栓を引き抜く際に、未使用表示具の一部である第１未使用表示部が第１弱体部の切断によって切り離されることになるため、その安全栓が少なくとも一度は引き抜かれたことが容易に認識され得る。さらに、その後、その起動レバーが握られることによって、起動レバーに係合する未使用表示具の第２弱体部が切断されて消火器から切り離されることになるため、その消火器の消火剤が噴射されたか否かが一目瞭然となる。そして、上述の第１弱体部と第２弱体部を備えた未使用表示具は、その製造当初は一体物であるため、それを起動レバーに形成された第２貫通孔に嵌入させて係合させる工程のみにより上述の２種類の未使用表示が可能になる。
【発明を実施するための最良の形態】
【００１５】
つぎに、本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号が省略されうる。
【００１６】
図１Ａは、本実施形態の消火器１００を示す全体構成図である。図１Ｂは、本実施形態の消火器１００の上部の側面図である。図１Ｃは、本実施形態における消火器１００の上部の正面図である。図１Ｄは、図１Ｂの反対側の側面図である。また、図２は、実施形態の消火器１００の未使用表示具１０を示す概略構成図である。
【００１７】
図１Ａ乃至図１Ｄに示す本実施形態の消火器１００は、消火剤（例えば、粉末消火薬剤）が充填された公知の消火器の容器３２の上方に、代表的に、固定レバー２８、起動レバー２６、支柱２４ａ、安全栓２０、ホース３０、圧力計３４、及び未使用表示具１０を備えている。また、図２に示すように、未使用表示具１０は、安全栓用未使用表示部１２と本体用未使用表示部１６が第１弱体部１４，１４を介して一体化されている。さらに、第２弱体部１７ａ，１７ａ及び係合部１７ｂ，１７ｂは、起動レバー２６の側面に形成される第２貫通孔に嵌入されることにより起動レバー２６に係合する。尚、本実施形態では、未使用表示具１０はＡＢＳ（アクリロニトリル・ブタジエン・スチレン）製であり、公知の成形手段（例えば、射出成形）によって製造され得る。
【００１８】
ところで、図１Ｄに示すように、本実施形態では、安全栓用未使用表示部１２は、静置時に安全栓２０と接触しない状態で安全栓２０の一部（より具体的には、張り出し部２１ｃの一部）を覆うように配設されている。具体的には、安全栓用未使用表示部１２は、安全栓２０の上面から約０．５ｍｍの隙間を空けた上方に配置されている。このように、安全栓用未使用表示部１２を安全栓２０に接触させないことにより、安全栓用未使用表示部１２に対する未使用消火器の搬送又は設置などによる安全栓２０の振動の影響が緩和される。その結果、第１弱体部１４，１４の疲労が生じにくくなるため、この未使用表示具１０は消火器１００の長期間の保管にも耐えうる。
【００１９】
ところで、上述の隙間は０．５ｍｍ以上２ｍｍ以下が好ましい。この隙間が２ｍｍを超えると、安全栓２０を引き抜く過程で、安全栓用未使用表示部１２が本体用未使用表示部１６と切り離されるだけの十分な衝撃を安全栓２０から受けられないという危険性が高まる。他方、この隙間が０．５ｍｍ未満になれば、安全栓用未使用表示部１２及び第１弱体部１４，１４が、消火器１００の設置又は搬送の際に直接的に安全栓２０の振動を受けることになるため、第１弱体部１４，１４の疲労が生じやすくなる。なお、本実施形態であっても、この隙間が０ｍｍ、換言すれば、安全栓用未使用表示部１２が安全栓２０と接触するように配置される態様は排除されない。上述の疲労の問題が生じうる一方、確実に安全栓２０の引き抜きによって安全栓用未使用表示部１２の本体用未使用表示部１６からの切り離しが期待できるという一面は存在する。しかしながら、未使用表示の安定性及び信頼性の観点からは、前述の隙間を設けることが好ましい。
【００２０】
次に、本実施形態の消火器１００の使用手順に従って、本実施形態の未使用表示具１０の働きを図３Ａ乃至図３Ｃに沿って説明する。
【００２１】
図３Ａ及び図３Ｂに示すように、安全栓２０の一部である嵌入棒２１ｂが第１貫通孔２７ａ、及び支柱２４ａの上端からトレンチ状に形成された開口部２５内に嵌入され、かつ他の一部である係合突起２１ａがもう１つの第１貫通孔２７ｂに嵌入されている。さらに、係合突起２１ａが支柱２４ａに形成された図示しない突起物と係合している。この係合突起２１ａ及び嵌入棒２１ｂの作用により、安全栓２０が起動レバー２６を開き状態にロックされる。ここで、この嵌入状態及び係合状態は、既述の先行技術文献（特許文献２）の図１に示す状態と同様である。また、本実施形態において特に言及されていない部位も公知技術が適用されている。
【００２２】
消火器１００が実際に使用される際、図３Ａ乃至図３Ｃに示すように、最初に、安全栓２０が引き抜かれる。このとき、安全栓２０の一部である張り出し部２１ｃが未使用表示具１０の一部である安全栓未使用表示部１２の裏面に接触し、その後、上方に力が加えられることによって第１弱体部１４，１４に急激なストレス（曲げモーメント）がかかる。その結果、第１弱体部１４，１４が破断又は切断されて、本体用未使用表示部１６と分離される。
【００２３】
第１弱体部１４，１４が分離された時点では、本体用未使用表示部１６は、依然として第２弱体部１７ａ，１７ａ及び係合部１７ｂ，１７ｂの存在によって起動レバー２６に係合している。安全栓２０が引き抜かれた後、支柱２４ａの上端が自由端であるため、回転軸２４ｂを中心に支柱２４ａが回転しうる状態となる。その後、固定レバー２８及び起動レバー２６が握られると、回転軸２３を中心とする回転動作によって起動レバー２６が固定レバー２８に接近する。その結果、図３Ｃに示すように、第２貫通孔２９に嵌入された第２弱体部１７ａ，１７ａが起動レバー２６と固定レバー２８との間に加わるせん断力によって切断されるため、本体用未使用表示部１６は起動レバー２６から切り離される。
【００２４】
このとき、特に、本体用未使用表示部１６は、上述の起動レバー２６の回転動作によって加えられる第２弱体部１７ａ，１７ａへのせん断力が、脚部１９の消火器１００の一部への当接によって弾性部１８に弾性歪みエネルギーを与える。その結果、第２弱体部１７ａ，１７ａの切断によってその弾性歪みエネルギーが解放されるため、本体用未使用表示部１６は、弾性部１８が形成されていない場合と比較して消火器１００から分離されやすくなる。換言すれば、本体用未使用表示部１６は、弾性部１８の存在によって消火器１００から遠くへ飛ばされやすくなる。なお、本実施形態では、脚部１９が起動レバー２６の回転動作によって接する箇所は、消火器１００に形成された突起部（例えば、図１Ａに示す突起部３６）であるが、これに限定されない。図２に示すとおり、上述のせん断力が弾性歪みエネルギーを与える際に弾性部１８の破損（切断）を防ぐため、弾性部１８の一部は曲線で成形されている。また、本実施形態では、この弾性部１８の最も細い部分の厚みは約２ｍｍであるが、材料によって適宜変更されうる。
【００２５】
ところで、上述の実施形態では、安全栓用未使用表示部１２が安全栓２０の張り出し部２１ｃの一部を覆うように配設されているが、本発明はこれに限定されない。例えば、安全栓２０を使用する際の取っ手となるリング状の部分に、安全栓用未使用表示部１２が挿入されるように配設されることも１つの変形例となり得る。以上、述べたとおり、本発明の範囲内に存在する変形例もまた、特許請求の範囲に含まれるものである。
【産業上の利用可能性】
【００２６】
本発明は、安全栓及び消火器本体が未使用か否かを明示する消火器、又はその表示具として広く利用されうる。
【図面の簡単な説明】
【００２７】
【図１Ａ】本発明の１つの実施形態における消火器を示す全体構成図である。
【図１Ｂ】本発明の１つの実施形態における消火器を示す一部側面図である。
【図１Ｃ】本発明の１つの実施形態における消火器を示す一部正面図である。
【図１Ｄ】図１Ｂの反対側の側面図である。
【図２】本発明の１つの実施形態における消火器の未使用表示具を示す概略構成図である。
【図３Ａ】本発明の１つの実施形態における消火器の操作手順を示す斜視図である。
【図３Ｂ】本発明の１つの実施形態における消火器の操作手順を示す斜視図である。
【図３Ｃ】本発明の１つの実施形態における消火器の操作手順を示す斜視図である。
【図４】従来の消火器の一部側面図である。
【符号の説明】
【００２８】
１０                    未使用表示具
１２                    安全栓用未使用表示部
１４                    第１弱体部
１６                    本体用未使用表示部
１７ａ                  第２弱体部
１７ｂ                  係合部
１８                    弾性部
１９                    脚部
２０                    安全栓
２１ａ                  係合突起
２１ｂ                  嵌入棒
２１ｃ                  張り出し部
２３，２４ｂ            回転軸
２４ａ                  支柱
２５                    開口部
２６                    起動レバー
２７ａ，２７ｂ          第１貫通孔
２８                    固定レバー
２９                    第２貫通孔
３０                    ホース
３２                    容器
３４                    圧力計
３６                    突起部
９０                    封じ紙
９１                    未使用表示具
１００                  消火器
【図１Ａ】
2009178324.tif 000003
【図１Ｂ】
2009178324.tif 000004
【図１Ｃ】
2009178324.tif 000005
【図１Ｄ】
2009178324.tif 000006
【図２】
2009178324.tif 000007
【図３Ａ】
2009178324.tif 000008
【図３Ｂ】
2009178324.tif 000009
【図３Ｃ】
2009178324.tif 000010
【図４】
2009178324.tif 000011